(57)【要約】【課題】  毛先が接触しなくても歯面の清掃効果に優れる歯ブラシ等の歯の清掃用具を提供する。【解決手段】  ブラシ毛２の線材３の外周面に円形状の凹部３ａを散在するように複数形成する。線材３が歯面に接触すると弾性変形して歯間の隙間に入り、隙間部分が歯磨きされる。歯面に対しては、線材３の変形時にその凹部３ａの縁部が突出し、その鋭利な縁部が歯ブラシの往復運動に沿って歯面をあたかもスクレーパで削り取るかのように摩擦し、歯面の汚れが確実且つ短時間に除去される。【選択図】  図１
2009055983.tif 000002
【特許請求の範囲】
【請求項１】
握り柄の先端にブラシ毛を一方向に植毛した歯ブラシとして用いるための歯の清掃用具において、ブラシ毛を構成する弾性変形可能な線材の外周面に凹部を形成し、清掃時に線材の変形で凹部の縁部が突出し、同縁部で歯面を摩擦して清掃できるようにしたことを特徴とする、歯の清掃用具。
【請求項２】
握り柄の先端にブラシ毛を放射状に植毛した歯間ブラシとして用いるための歯の清掃用具において、ブラシ毛を構成する弾性変形可能な線材の外周面に凹部を形成し、清掃時に線材の変形で凹部の縁部が突出し、同縁部で歯面を摩擦して清掃できるようにしたことを特徴とする、歯の清掃用具。
【請求項３】
握り柄の先端に備えた鍬状部にフロスを張設した歯間清掃具として用いるための歯の清掃用具において、フロスを構成する弾性変形可能な線材の外周面に凹部を形成し、清掃時に線材の変形で凹部の縁部が突出し、同縁部で歯面を摩擦して清掃できるようにしたことを特徴とする、歯の清掃用具。
【請求項４】
デンタルフロスとして用いるための歯の清掃用具において、フロスを構成する弾性変形可能な線材の外周面に凹部を形成し、清掃時に線材の変形で凹部の縁部が突出し、同縁部で歯面を摩擦して清掃できるようにしたことを特徴とする、歯の清掃用具。
【請求項５】
線材の凹部が円形状で、散在するように複数形成した、請求項１〜４いずれか記載の歯の清掃用具。
【請求項６】
線材の凹部が外周に渡る環状で、１本又は複数本形成した、請求項１〜５いずれか記載の歯の清掃用具。
【請求項７】
線材の凹部が直線状で、線材の長さ方向に沿って１本又は複数本形成した、請求項１〜６いずれか記載の歯の清掃用具。
【請求項８】
線材の凹部の底面に突起を形成し、線材の変形時に凹部が拡張して突起が突出し、同突起が凹部の縁部とともに歯面を摩擦して清掃できるようにした、請求項１〜７いずれか記載の歯の清掃用具。
【発明の詳細な説明】
【技術分野】
【０００１】
本発明は歯ブラシ等の歯の清掃用具に関する。
【背景技術】
【０００２】
従来、歯ブラシのブラシ毛は毛先が歯間の狭い箇所へ入り易いように弾性変形する細長い線材で構成され、線材の外周面は平滑に形成されているものが一般的である。
【０００３】
ところで、従来の歯ブラシでは、線材が変形すると歯面（特に側面）には線材の外周面が滑るように接触するだけで毛先は接触し難いもので、汚れを完全に除去するのに時間を要するとともに、毛先が接触しない箇所は磨き残しとなって虫歯の原因になっていた。
【特許文献１】実用新案登録第３０９７８８２号公報
【発明の開示】
【発明が解決しようとする課題】
【０００４】
本発明が解決しようとする課題は、従来のこれらの問題点を解消し、毛先が接触しなくても歯面の清掃効果に優れる歯の清掃用具を提供することにある。
【課題を解決するための手段】
【０００５】
かかる課題を解決した本発明の構成は、
１）  握り柄の先端にブラシ毛を一方向に植毛した歯ブラシとして用いるための歯の清掃用具において、ブラシ毛を構成する弾性変形可能な線材の外周面に凹部を形成し、清掃時に線材の変形で凹部の縁部が突出し、同縁部で歯面を摩擦して清掃できるようにしたことを特徴とする、歯の清掃用具
２）  握り柄の先端にブラシ毛を放射状に植毛した歯間ブラシとして用いるための歯の清掃用具において、ブラシ毛を構成する弾性変形可能な線材の外周面に凹部を形成し、清掃時に線材の変形で凹部の縁部が突出し、同縁部で歯面を摩擦して清掃できるようにしたことを特徴とする、歯の清掃用具
３）  握り柄の先端に備えた鍬状部にフロスを張設した歯間清掃具として用いるための歯の清掃用具において、フロスを構成する弾性変形可能な線材の外周面に凹部を形成し、清掃時に線材の変形で凹部の縁部が突出し、同縁部で歯面を摩擦して清掃できるようにしたことを特徴とする、歯の清掃用具
４）  デンタルフロスとして用いるための歯の清掃用具において、フロスを構成する弾性変形可能な線材の外周面に凹部を形成し、清掃時に線材の変形で凹部の縁部が突出し、同縁部で歯面を摩擦して清掃できるようにしたことを特徴とする、歯の清掃用具
５）  線材の凹部が円形状で、散在するように複数形成した、前記１）〜４）いずれか記載の歯の清掃用具
６）  線材の凹部が外周に渡る環状で、１本又は複数本形成した、前記１）〜５）いずれか記載の歯の清掃用具
７）  線材の凹部が直線状で、線材の長さ方向に沿って１本又は複数本形成した、前記１）〜６）いずれか記載の歯の清掃用具
８）  線材の凹部の底面に突起を形成し、線材の変形時に凹部が拡張して突起が突出し、同突起が凹部の縁部とともに歯面を摩擦して清掃できるようにした、前記１）〜７）いずれか記載の歯の清掃用具
にある。
【発明の効果】
【０００６】
本発明によれば、歯ブラシや歯間ブラシにおいては、清掃時に線材が変形すると、外周面の凹部の鋭利な縁部が突出して歯面を削るように摩擦し、歯面を確実且つ短時間に清掃できるようになる。また、歯ブラシのブラシ毛の毛先は従来通り歯間に入り易く、歯間の磨き残しはない。歯間清掃具とデンタルフロスにおいては、フロスを往復運動させて清掃する際に線材が変形し、その凹部の鋭利な縁部が突出して対向する歯面を削るように摩擦し、歯間と対向する歯面を確実且つ短時間に清掃できるようになる。
【発明を実施するための最良の形態】
【０００７】
本発明の線材の凹部の形状としては、散在するように形成した円形状・四角形状・三角形状・十字状、外周に渡るように形成した環状、線材の長さ方向に沿って形成された直線状のものがあり、形状は限定されない。円形状・四角形状・三角形状・十字状と環状のものは歯面に対する垂直（縦）方向の清掃に有効であり、直線状のものは奥歯に対する横方向の清掃に有効である。これらは単独で構成しても組み合わせて構成してもよい。
【０００８】
また、凹部の底面に突起を別途形成すると、線材の変形時に凹部が拡張して突起が突出し、この突起が凹部の縁部とともに歯面を摩擦して清掃の効果を高める。以下、本発明の各実施例を図面に基づいて具体的に説明する。
【実施例１】
【０００９】
図１〜３に示す実施例１は、ブラシ毛の線材に円形状の凹部を散在するように複数形成した歯ブラシの例と、環状の凹部を３本形成した歯ブラシの例である。図１，２は実施例１の歯ブラシの線材の説明図、図３は実施例１の歯ブラシによる歯磨きを示す説明図である。図中、１は握り柄、２はブラシ毛、３は線材、３ａは凹部、３ｂは縁部、Ｄは歯である。
【００１０】
実施例１の歯ブラシは、図１に示すように握り柄１の先端部に弾性変形できる多数本の細長い線材３を一方向に植毛してブラシ毛２が構成され、線材３の外周面に円形状の凹部３ａが散在するように複数形成されている。図２に示す線材３は凹部３ａが外周に沿う環状で、３本形成されている。
【００１１】
実施例１では、ブラシ毛２の線材３が歯Ｄの面に接触すると、線材３が弾性変形して歯Ｄの間の隙間に入り、隙間部分が歯磨きされる。この際、歯Ｄの面は従来では線材３の外周面が滑るように接触するだけで歯磨きの清掃効果が低かった。
【００１２】
しかし、実施例１では図３に示すように線材３の変形時にその凹部３ａの縁部３ｂが突出し、その鋭利な縁部３ｂがブラッシングの垂直又は縦方向の往復運動に沿って歯Ｄの面をあたかもスクレーパで削り取るかのように摩擦し、歯Ｄの汚れが確実且つ短時間に除去される。図２に示す線材３も図１の線材３と同様の作用効果を奏する。
【実施例２】
【００１３】
図４〜６に示す実施例２は、直線状の凹部を線材の長さ方向に沿って複数本形成した例である。図４，５は実施例２の歯ブラシの線材の説明図、図６は実施例２の歯ブラシによる歯磨きを示す説明図である。
【００１４】
実施例２では、図４に示す線材３は凹部３ａが長い直線状で、線材３の長さ方向に沿って等間隔に４本形成されている。図５に示す線材３は凹部３ａが短い直線状で、線材３の長さ方向に沿って交互に位置を異ならせて複数本形成されている。
【００１５】
図６に示すように凹部３ａの縁部３ｂが歯Ｄの面に沿って横方向に摩擦し、汚れを確実に除去する（図６は断面を示し、線材３が手前と奥行きを往復される）。奥歯は歯ブラシの先が接触しずらく、歯ブラシを横方向に往復運動させて歯磨きする場合が多い。このように、実施例２の歯ブラシは、奥歯などブラシ毛２が届き難い箇所の歯磨きに有効である。その他、符号、構成、作用効果は実施例１と同じである。
【実施例３】
【００１６】
図７，８に示す実施例３は、線材の凹部の底面に突起を形成した例である。図７は実施例３のブラシ毛の線材の説明図、図８は実施例３のブラシ毛による歯磨きを示す説明図である。図中、３ｃは突起である。
【００１７】
実施例３の線材３は、図７に示すように凹部３ａの底面に突起３ｃを形成している。図８に示すように、線材３の変形で凹部３ａが拡張して突起３ｃが突出し、この突起３ｃが縁部３ｂとともに歯Ｄの面を摩擦して歯磨きの効果を高める。突起３ｃは様々な形状の凹部３ａに形成することができ、環状や直線状の凹部３ａには複数形成してもよい。その他、符号、構成、作用効果は実施例１と同じである。
【実施例４】
【００１８】
図９に示す実施例４は、ブラシ毛の線材に円形状の凹部を散在するように複数形成した歯間ブラシの例である。図９は実施例４の歯間ブラシの説明図である。実施例４では、図９に示すように握り柄１の先端部に弾性変形できる多数本の細長い線材３を放射状に植毛してブラシ毛２が構成され、線材３の外周面に円形状の凹部３ａが散在するように複数形成されている。このブラシ毛２を歯間に差し込んで往復運動させることで、線材３の変形で突出した凹部３ａの縁部が対向する歯面を効果的に清掃する。その他、符号、構成、作用効果は実施例１と同じである。
【実施例５】
【００１９】
図１０に示す実施例５は、フロスを構成する線材に円形状の凹部を散在するように複数形成した歯間清掃具の例である。図１０は実施例５の歯間清掃具の説明図である。実施例５では、図１０に示すように握り柄１の先端部に備えた鍬状部に弾性変形できる細長い線材３を張設し、線材３の外周面に円形状の凹部３ａが散在するように複数形成されている。この線材３を歯間に差し込んで往復運動させることで、線材３の変形で突出した凹部３ａの縁部が対向する歯間だけでなく歯面も効果的に清掃する。その他、符号、構成、作用効果は実施例１と同じである。
【実施例６】
【００２０】
図１１に示す実施例６は、フロスを構成する線材に円形状の凹部を散在するように複数形成したデンタルフロスの例である。図１１は実施例６のデンタルフロスの説明図である。実施例６では、図１１に示すように線材３の外周面に円形状の凹部３ａが散在するように複数形成されている。この線材３を歯間に差し込んで往復運動させることで、線材３の変形で突出した凹部３ａの縁部が歯間だけでなく対向する歯面も効果的に清掃する。その他、符号、構成、作用効果は実施例１と同じである。
【産業上の利用可能性】
【００２１】
本発明の技術は、歯ブラシの他に歯間ブラシ・糸ようじ（登録商標）・デンタルフロス等にも利用でき、さらにはタワシ等のブラシ毛を備えた洗浄用具にも応用できる。
【図面の簡単な説明】
【００２２】
【図１】実施例１の歯ブラシの線材の説明図である。
【図２】実施例１の歯ブラシの線材の説明図である。
【図３】実施例１の歯ブラシによる歯磨きを示す説明図である。
【図４】実施例２の歯ブラシの線材の説明図である。
【図５】実施例２の歯ブラシの線材の説明図である。
【図６】実施例２の歯ブラシによる歯磨きを示す説明図である。
【図７】実施例３のブラシ毛の線材の説明図である。
【図８】実施例３のブラシ毛による歯磨きを示す説明図である。
【図９】実施例４の歯間ブラシの説明図である。
【図１０】実施例５の歯間清掃具の説明図である。
【図１１】実施例６のデンタルフロスの説明図である。
【符号の説明】
【００２３】
１  握り柄
２  ブラシ毛
３  線材
３ａ  凹部
３ｂ  縁部
３ｃ  突起
Ｄ  歯
【図１】
2009055983.tif 000003
【図２】
2009055983.tif 000004
【図３】
2009055983.tif 000005
【図４】
2009055983.tif 000006
【図５】
2009055983.tif 000007
【図６】
2009055983.tif 000008
【図７】
2009055983.tif 000009
【図８】
2009055983.tif 000010
【図９】
2009055983.tif 000011
【図１０】
2009055983.tif 000012
【図１１】
2009055983.tif 000013